(57)【要約】【課題】出隅又は入隅に設けた板材（例えば幅木又は廻り縁）に取り付けられ、板材から外れ難いコーナーカバーを提供する。【解決手段】本発明に係るコーナーカバーは、入隅又は出隅の二つの壁それぞれに取り付けられた二つの板材の表側に配置される平面視Ｌ形の表板を備え、前記板材の間の隙間を覆うコーナーカバーにおいて、前記表板の端部の厚みが前記表板の角部の厚みよりも小さくなるように、前記表板の端部から角部に亘り、前記表板の表面にテーパ面が形成されていることを特徴とする。【選択図】図２
2018071187.tif 000002
【特許請求の範囲】
【請求項１】
入隅又は出隅の二つの壁それぞれに取り付けられた二つの板材の表側に配置される平面視Ｌ形の表板を備え、前記板材の間の隙間を覆うコーナーカバーにおいて、
前記表板の端部の厚みが前記表板の角部の厚みよりも小さくなるように、前記表板の端部から角部に亘り、前記表板の表面にテーパ面が形成されていること
を特徴とするコーナーカバー。
【請求項２】
前記表板の端部に、前記テーパ面よりも急峻な傾斜面が形成されていること
を特徴とする請求項１に記載のコーナーカバー。
【発明の詳細な説明】
【技術分野】
【０００１】
本発明は、入隅又は出隅の二つの壁面それぞれに取り付けられた二つの板材の間の隙間を覆うコーナーカバーに関する。
【背景技術】
【０００２】
入隅又は出隅の二つの壁面それぞれに取り付けられた二つの板材、例えば幅木又は廻り縁の隙間を覆うコーナーカバーが従来提案されている（例えば特許文献１）。コーナーカバーによって、二つの板材の隙間が隠蔽され、入隅又は出隅の外観意匠性が向上する。
【先行技術文献】
【特許文献】
【０００３】
【特許文献１】特許第５３９１１２８号公報
【発明の概要】
【発明が解決しようとする課題】
【０００４】
コーナーカバーは板材から突出しているので、物体（例えば掃除機）が衝突した場合、板材から外れるおそれがある。
【０００５】
本発明は斯かる事情に鑑みてなされたものであり、板材から外れ難いコーナーカバーを提供することを目的とする。
【課題を解決するための手段】
【０００６】
本発明に係るコーナーカバーは、入隅又は出隅の二つの壁それぞれに取り付けられた二つの板材の表側に配置される平面視Ｌ形の表板を備え、前記板材の間の隙間を覆うコーナーカバーにおいて、前記表板の端部の厚みが前記表板の角部の厚みよりも小さくなるように、前記表板の端部から角部に亘り、前記表板の表面にテーパ面が形成されていることを特徴とする。
【０００７】
本発明においては、表板の端部の厚みが角部の厚みよりも小さくなるように、表板の表面にテーパ面が形成されているので、端部に接触した物体はテーパ面に沿って滑らかに移動する。そのため表板の端部に物体が係止し難い。
【０００８】
本発明に係るコーナーカバーは、前記表板の端部に、前記テーパ面よりも急峻な傾斜面が形成されていることを特徴とする。
【０００９】
本発明においては、表板の端部にテーパ面よりも急峻な傾斜面を更に形成し、前記端部に接触した物体を表板の角部に円滑に案内する。
【発明の効果】
【００１０】
本発明に係るコーナーカバーは、表板の端部の厚みが角部の厚みよりも小さくなるように、表板の表面にテーパ面が形成されているので、端部に接触した物体はテーパ面に沿って滑らかに移動する。そのため、表板の端部に物体が係止し難く、物体からの外力が表板の端部に長時間作用し、コーナーカバーが板材から外れることを防止できる。
【図面の簡単な説明】
【００１１】
【図１】実施の形態１に係るコーナーカバーを背面側から視認した略示斜視図である。
【図２】図１に示すＩＩ−ＩＩ線を切断線とした略示断面図である。
【図３】幅木に取り付けたコーナーカバーを略示する斜視図である。
【図４】図２に対応しており、幅木に取り付けたコーナーカバーを略示する平面断面図である。
【図５】突条付近にて切断しており、幅木に取り付けたコーナーカバーを略示する平面断面図である。
【図６】コーナーカバーの構成を一部変更した変更例に係る略示平面断面図である。
【図７】実施の形態２に係るコーナーカバーを背面側から視認した略示斜視図である。
【図８】図７に示すＶＩＩＩ−ＶＩＩＩ線を切断線とした略示断面図である。
【図９】廻り縁に取り付けたコーナーカバーを略示する斜視図である。
【図１０】図８に対応しており、廻り縁に取り付けたコーナーカバーを略示する平面断面図である。
【発明を実施するための形態】
【００１２】
（実施の形態１）
以下本発明を実施の形態１に係るコーナーカバー１を示す図面に基づいて説明する。図１は、コーナーカバー１を背面側から視認した略示斜視図、図２は、図１に示すＩＩ−ＩＩ線を切断線とした略示断面図である。
【００１３】
コーナーカバー１は、図１に示すように、幅木６０（図３参照）の表側に配置され、上下に延びた平面視Ｌ形の表板２と、幅木６０の裏側に配される平面視Ｌ形の裏板３と、表板２の上端から裏板３側に突出した上板４とを備える。
【００１４】
図２に示すように、表板２の端部２ｂの厚みが表板２の角部２ａの厚みよりも小さくなるように、表板２の端部２ｂから角部２ａに亘り、表板２の表面にテーパ面２２が形成されている。二つのテーパ面２２、２２が角部２ａの両側にそれぞれ形成されている。
【００１５】
裏板３は表板２の裏面に略平行であり、表板２の角部２ａから端部２ｂに向かう方向に延びている。前記方向において、裏板３の端部３ｂは表板２の端部２ｂよりも外側に配されている。裏板３の角部３ａと表板２の角部２ａとは連結板５によって連結されている。連結板５は上下に延びている。
【００１６】
図１に示すように、表板２の裏面の上下方向中央部において、角部２ａと両端部２ｂ、２ｂそれぞれとの間に平面視Ｌ形の突条２０が延設されている。図１に示すように、突条２０の両端部には、表板２に対して略直角に突出した突部２１が設けられている。
【００１７】
上板４は平面視Ｌ形をなす。表板２に連なる上板４の縁部は、前記テーパ面２２に沿って傾斜しており、そのため、上板４の短手幅は、表板２の角部２ａから端部２ｂに向かうに従って、漸次短くなる。Ｌ形の上板４の内側二辺それぞれに、下方に延びた垂下部４ａが設けられている。
【００１８】
図３は、幅木６０に取り付けたコーナーカバー１を略示する斜視図、図４は、図２に対応しており、幅木６０に取り付けたコーナーカバー１を略示する平面断面図、図５は、突条２０付近にて切断しており、幅木６０に取り付けたコーナーカバー１を略示する平面断面図である。なお幅木６０は板材に対応する。
【００１９】
出隅５０の二つの壁５１、５１それぞれに幅木６０が設けられている。幅木６０は横方向に延びた帯状をなす。出隅５０の角付近において、二つの幅木６０、６０の端部間には隙間７０が設けられている。コーナーカバー１は隙間７０を隠すようにして、二つの幅木６０に取り付けられている。
【００２０】
図４に示すように、幅木６０は裏板３と表板２との間に配置されている。換言すれば、裏板３及び表板２は幅木６０の端部を挟んでいる。垂下部４ａは幅木６０と壁５１との隙間に挿入される。
【００２１】
前記突条２０の上下位置は幅木６０の溝６１の上下位置に対応している。突条２０及び突部２１は幅木６０に向かって突出している。突条２０は溝６１の内側に配置されており、突部２１は溝６１に当接している。突条２０と溝６１との間には隙間が生じる。突部２１は、この隙間に配置されており、溝６１に当接することによって、表板２が撓み、弾性復元力が発生している。この弾性復元力によって、表板２は板材に付勢されている。なお突条２０と溝６１との間の隙間によって、突部２１が過剰に溝６１に当接することが防止されている。
【００２２】
実施の形態１に係るコーナーカバー１にあっては、表板２の端部２ｂの厚みが角部２ａの厚みよりも小さくなるように、表板２の表面にテーパ面２２が形成されているので、端部２ｂに接触した物体はテーパ面２２に沿って滑らかに移動する。そのため表板２の端部２ｂに物体が係止し難い。
【００２３】
物体が係止しないように、表板２全体を従来よりも薄く形成した場合、コーナーカバー１の強度を維持することが難しくなり、僅かな衝撃でもコーナーカバー１が破損するおそれがある。表板２の表面にのみテーパ面２２を形成することによって、コーナーカバー１の強度を維持しつつ、表板２への物体の係止を防止することができる。
【００２４】
またコーナーカバー１を幅木６０に取り付けた場合に、突部２１が溝６１に当接し、表板２が撓み、弾性復元力が発生する。この弾性復元力によって、表板２は幅木６０に付勢され、コーナーカバー１が幅木６０から外れ難くなる。また溝６１に対応した突条２０を設け、該突条２０に突部２１を設けているので、表板２の平坦な部分に突部２１を設ける場合に比べて表板２の撓み量が小さくなる。表板２の撓み量を最小限に留めて、表板２が幅木６０から突出する幅が大きくなることを防止し且つ表板２を幅木６０に向けて付勢するための弾性復元力を確保することができる。換言すれば、幅木６０からの表板２の突出の抑制及び弾性復元力の確保を両立させることができる。
【００２５】
また上板４の短手幅は、表板２の角部２ａから端部２ｂに向かうに従って、漸次短くなるので、上板４の面積が小さくなり、埃が溜まりにくい。また上板４と幅木６０とが、外観上滑らかに接続されているように視認され、外観意匠性が向上する。
【００２６】
図６は、コーナーカバー１の構成を一部変更した変更例に係る略示平面断面図である。変更例においては、表板２の両端部２ｂそれぞれの表面に、テーパ面２２よりも急峻な傾斜面２ｃが設けられている。傾斜面２ｃは、表板２の端部２ｂに向かうに従って、表板２の厚みが小さくなるように傾斜している。
【００２７】
表板２の端部２ｂにテーパ面２２よりも急峻な傾斜面２ｃを更に形成することによって、前記端部２ｂに接触した物体を表板２の角部２ａにより円滑に案内することができ、表板２の端部２ｂに物体がより一層係止し難くなる。その結果、物体から表板２に、長時間力が作用し難くなるので、コーナーカバー１は幅木６０からより一層外れ難くなる。
【００２８】
（実施の形態２）
以下本発明を実施の形態２に係るコーナーカバー１を示す図面に基づいて説明する。実施の形態２に係るコーナーカバー１の構成は、実施の形態１に係るコーナーカバー１の表板２及び裏板３の位置を入れ替えたような構成である。そのため実施の形態２に係るコーナーカバー１の構成の内、実施の形態１と同様な構成については同じ符号を付し、その詳細な説明を省略する。図７は、コーナーカバー１を背面側から視認した略示斜視図、図８は、図７に示すＶＩＩＩ−ＶＩＩＩ線を切断線とした略示断面図である。
【００２９】
コーナーカバー１は、図７に示すように、廻り縁６２（図９参照）の外側に配置され、上下に延びた平面視Ｌ形の表板２と、廻り縁６２の内側に配される平面視Ｌ形の裏板３と、表板２の上端から裏板３側に突出した上板４とを備える。Ｌ形の上板４の外側二辺それぞれに、下方に延びた垂下部４ｂが設けられている。
【００３０】
図８に示すように、表板２の端部２ｂの厚みが表板２の角部２ａの厚みよりも小さくなるように、表板２の端部２ｂから角部２ａに亘り、表板２の表面にテーパ面２２が形成されている。二つのテーパ面２２、２２が角部２ａの両側にそれぞれ形成されている。二つのテーパ面２２それぞれに突条２０が設けられている。表板２の端部２ｂ側における突条２０の端部２ｂに、廻り縁６２に向けて突出する突部２１が形成されている。
【００３１】
図９は、廻り縁６２に取り付けたコーナーカバー１を略示する斜視図、図１０は、図８に対応しており、廻り縁６２に取り付けたコーナーカバー１を略示する平面断面図である。なお廻り縁６２は板材に対応する。
【００３２】
入隅５５の二つの壁５６それぞれに廻り縁６２が設けられている。廻り縁６２は横方向に延びた帯状をなす。入隅５５の角付近において、二つの廻り縁６２の端部間には隙間７０が設けられている。コーナーカバー１は、二つの廻り縁６２の間の隙間７０を隠すようにして、二つの廻り縁６２に取り付けられている。廻り縁６２には横方向に延びた溝６３が形成されており、該溝６３に突条２０及び突部２１が挿入される。垂下部４ｂは廻り縁６２と壁５６との隙間に挿入される。
【００３３】
実施の形態２に係るコーナーカバー１は実施の形態１と同様な効果を奏する。なお表板２の端部２ｂにテーパ面２２よりも急峻な傾斜面２ｃを形成してもよい。
【００３４】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３５】
１  コーナーカバー
２  表板
２ａ  角部
２ｂ  端部
２ｃ  傾斜面
２０  突条
２１  突部
２２  テーパ面
３  裏板
４  上板
５０  出隅
５５  入隅
５１、５６  壁
６０  幅木（板材）
６２  廻り縁（板材）
６１、６３  溝
７０  隙間
【図１】
2018071187.tif 000003
【図２】
2018071187.tif 000004
【図３】
2018071187.tif 000005
【図４】
2018071187.tif 000006
【図５】
2018071187.tif 000007
【図６】
2018071187.tif 000008
【図７】
2018071187.tif 000009
【図８】
2018071187.tif 000010
【図９】
2018071187.tif 000011
【図１０】
2018071187.tif 000012